(57)【要約】【課題】  ３つ以上の指標をグラフ化して表示することにより、的確に在庫状況を把握することが可能な在庫状況確認システムを提供する。【解決手段】  最初に、在庫情報のうち糖度の情報を取得し、その数を計数して在庫数量を算出し、糖度と在庫数量を座標軸としたグラフである第１グラフを生成する（ａ）。利用者が、第１グラフ上の、所定の糖度の範囲を指定すると、その範囲の糖度を持つ在庫情報のうち粘度と透明度の情報を取得し、粘度と透明度の組み合わせごとにその数を計数して在庫数量を算出し、粘度と透明度を座標軸とし、粘度と透明度の組み合わせによる領域を在庫数量別に色分けしたグラフである第２グラフを生成する（ｂ）。【選択図】  図２
2008262256.tif 000002
【特許請求の範囲】
【請求項１】
在庫情報に基づいて生成されたグラフを表示手段に表示し、在庫の状況を確認するシステムであって、
取得した在庫情報のうち、第１の指標と基準指標をそれぞれ座標軸としたグラフである第１グラフを生成する第１グラフ生成手段と、
画面表示された前記第１グラフ内において、前記第１の指標により区分されたいずれかの領域を指定する指示手段と、
前記指定された領域に対応する第１の指標により特定される在庫について、第２の指標と第３の指標をそれぞれ座標軸とするとともに、前記第２の指標と前記第３の指標の組み合わせで特定される各領域を前記基準指標に応じて異なる態様で表現した第２グラフを生成する第２グラフ生成手段と、
を有することを特徴とする在庫状況確認システム。
【請求項２】
前記基準指標は在庫数量、前記第１の指標は糖度、前記第２の指標は粘度、前記第３の指標は透明度であることを特徴とする請求項１に記載の在庫状況確認システム。
【発明の詳細な説明】
【技術分野】
【０００１】
本発明は、製品在庫管理に関し、特に、在庫の数量、品質両視点からの在庫状況把握を行うための技術に関する。
【背景技術】
【０００２】
従来、ＩＣタグと呼ばれるデータキャリアに各製品の情報を記録し、これを製品に付しておき、ＩＣタグから情報を読み取ることにより、製品の在庫状況を確認することが行われている。また、最近では、ＩＣタグにセンサ装置を具備させることで、個々の物品の流通履歴情報と共に、センサ装置による測定で取得した測定値情報をリアルタイムで収集することもできるようになってきている（例えば、特許文献１参照）。
【０００３】
【特許文献１】特願２００６−１５３０４８号
【特許文献２】特開平１０−１１１９５０号公報
【特許文献３】特開２００１−５９８４号公報
【発明の開示】
【発明が解決しようとする課題】
【０００４】
収集した在庫の情報は、複数の指標に基づきグラフ化される。在庫情報を的確に把握するためには、より多くの指標に基づいた情報を得ることが望ましいが、従来の表現手法（特許文献２、特許文献３参照）では、取得した在庫情報のうち、３つ以上の指標について上手く表示することが難しく、在庫状況を的確に把握することが困難である。
【０００５】
そこで、本発明は、３つ以上の指標をグラフ化して表示することにより、的確に在庫状況を把握することが可能な在庫状況確認システムを提供することを課題とする。
【課題を解決するための手段】
【０００６】
上記課題を解決するため、本発明では、取得した在庫情報のうち、第１の指標と基準指標をそれぞれ座標軸としたグラフである第１グラフを生成する第１グラフ生成手段と、画面表示された前記第１グラフ内において、前記第１の指標により区分されたいずれかの領域を指定する指示手段と、前記指定された領域に対応する第１の指標により特定される在庫について、第２の指標と第３の指標をそれぞれ座標軸とするとともに、前記第２の指標と前記第３の指標の組み合わせで特定される各領域を前記基準指標に応じて異なる態様で表現した第２グラフを生成する第２グラフ生成手段を有する在庫状況確認システムを提供する。
【発明の効果】
【０００７】
本発明によれば、まず、第１の指標と基準指標に基づく第１グラフを表示した後、第１の指標の範囲を指定することにより、第１の指標の値に基づく在庫について、第２の指標と第３の指標を座標軸として、第２の指標と第３の指標で特定される各領域を基準指標に応じた態様で表現した第２グラフを表示するようにしたので、最重要な第１の指標についての基準指標を確認した後、さらに、第１の指標の範囲に限定された第２の指標と第３の指標の組み合わせ別の基準指標を確認することができ、的確に在庫状況を把握することが可能となる。
【発明を実施するための最良の形態】
【０００８】
以下、本発明の好適な実施形態について、図面を用いて詳細に説明する。
（１．システム構成）
図１は、本発明に係る在庫状況確認システムの一実施形態を示す機能ブロック図である。図１において、１０は在庫情報記憶手段、２０は演算処理手段、２１は第１グラフ生成手段、２２は第２グラフ生成手段、３０は表示手段、４０は指示手段である。
【０００９】
図１において、在庫情報記憶手段１０は、在庫となっている商品について、その詳細な情報を記録したものであり、ハードディスク等の大容量記憶装置により実現される。在庫となっている商品の情報は、少なくとも３つ以上の指標となりえる項目について記録されている必要がある。本実施形態では、果物の商品情報を、糖度、粘度、透明度の少なくとも３つの項目を記録している。演算処理手段２０は、本発明の在庫状況確認システム全体の制御および演算処理を行う機能を有しており、コンピュータ内のＣＰＵが所定のプログラムを実行することにより実現される。
【００１０】
また、演算処理手段２０は、第１グラフ生成手段２１、第２グラフ生成手段２２を有している。第１グラフ生成手段２１は、在庫情報記憶手段１０に記憶された在庫情報のうち第１の指標に該当するものを抽出し、基準指標を用いてグラフ化する機能を有している。第２グラフ生成手段２２は、指示手段４０により指示された第１の指標に応じて、第２の指標、第３の指標についての情報を在庫情報記憶手段１０から抽出し、基準指標を用いてグラフ化する機能を有している。第１グラフ生成手段２１、第２グラフ生成手段２２は、グラフ生成用の専用プログラムをＣＰＵが実行することにより実現される。
【００１１】
表示手段３０は、液晶ディスプレイ等の表示装置である。指示手段４０は、キーボードやマウス等の指示入力装置である。図１に示した在庫状況確認システムは、全体として汎用のコンピュータに専用のプログラムを搭載することにより実現されることになる。
【００１２】
（２．処理動作）
次に、図１に示した在庫状況確認システムの処理動作について説明する。本実施形態では、第１の指標として糖度、第２の指標として粘度、第３の指標として透明度を採用し、基準指標として在庫数量を採用した場合を例にとって説明する。在庫情報が在庫情報記憶手段１０に蓄積された状態で、利用者が指示手段４０により、グラフ表示を指示すると、第１グラフ生成手段２１は、在庫情報記憶手段１０から各商品についての糖度を抽出し、糖度の値の範囲ごとにその数を計数した後、糖度と在庫数量を座標軸としてグラフ化する。これを第１グラフと呼ぶことにする。第１グラフ生成手段２１が第１グラフを生成すると、演算処理手段２０は、この第１グラフを表示手段３０に表示させる処理を行う。
【００１３】
ここで、表示手段３０に表示された第１グラフの様子を図２（ａ）に示す。図２（ａ）において、横軸は糖度、縦軸は在庫数量である。図２（ａ）の例では、糖度を５単位で区分しており、糖度０〜５の商品が２００個、糖度５〜１０の商品が１４０個在庫として存在することを示している。この第１グラフを見ることにより、利用者は、最も重要な第１の指標である糖度の観点において、各糖度を有する在庫がどの程度あるかを確認することができる。
【００１４】
図２（ａ）に示すように、第１グラフが表示された状態で、利用者は、網掛けされた領域のいずれかを指定する。具体的には、画面に表示されている矢印型のカーソルを指示手段４０であるマウスにより移動させ、所望の位置でクリックする指示を行う。本実施形態では、糖度の範囲により領域を区分している。したがって、図２の例では、糖度０〜５、糖度６〜１０、…、糖度３６〜４０までの８個の選択可能な領域が存在することになる。
【００１５】
そして、指示手段４０によりいずれかの領域が指定されると、第２グラフ生成手段２２は、指定された領域に対応する糖度の範囲を認識して、その糖度を持つ商品を検索し、在庫情報記憶手段１０から該当する商品の粘度、透明度の情報を抽出する。そして、粘度、透明度の所定範囲の組み合わせごとにその数を計数した後、粘度と透明度を座標軸としてグラフ化する。これを第２グラフと呼ぶことにする。第２グラフ生成手段２２が第２グラフを生成すると、演算処理手段２０は、この第２グラフを表示手段３０に表示させる処理を行う。
【００１６】
ここで、表示手段３０に表示された第２グラフの様子を図２（ｂ）、図３に示す。図２（ｂ）、図３において、横軸は粘度、縦軸は透明度である。図２（ｂ）、図３の例では、粘度、透明度をいずれも５単位で区分している。そして、粘度の値および透明度の値の組み合わせで定まる領域を、該当する在庫数量により異なる態様で表示する。図２（ｂ）、図３の例では、網掛けの濃さを６段階に分け、この網掛けが濃い程、その粘度および透明度の組み合わせとなる在庫数量が多いことを示している。なお、図２（ｂ）、図３においては、説明の便宜上、網掛けの濃さにより在庫数量を示しているが、現実には、色分けすることにより在庫数量を示すのが望ましい。
【００１７】
以上、本発明の好適な実施形態について説明したが、本発明は上記実施形態に限定されず、種々の変更が可能である。例えば、第１の指標、第２の指標、第３の指標は、糖度、粘度、透明度に限定されないのはもちろんであり、扱う商品に応じて様々な指標を用いることができる。また、上記実施形態のように商品として果物を扱い、第１の指標、第２の指標、第３の指標が、糖度、粘度、透明度に設定されている場合であっても、商品情報がさらに多数の項目についての情報を記録している場合は、第１の指標〜第３の指標を他の項目に変更可能なような構成としておいても良い。この場合は、新たに第１の指標〜第３の指標として設定された項目に基づいて、第１グラフ、第２グラフが作成されることになる。
【図面の簡単な説明】
【００１８】
【図１】本発明に係る在庫状況確認システムの一実施形態を示す機能ブロック図である。
【図２】表示手段３０に表示された第１グラフ、第２グラフの様子を示す図である。
【図３】表示手段３０に表示された第２グラフの様子を示す図である。
【符号の説明】
【００１９】
１０・・・在庫情報記憶手段
２０・・・演算処理手段
２１・・・第１グラフ生成手段
２２・・・第２グラフ生成手段
３０・・・表示手段
４０・・・指示手段
【図１】
2008262256.tif 000003
【図２】
2008262256.tif 000004
【図３】
2008262256.tif 000005